(57)【要約】      （修正有）【課題】設計自由度に優れたゴルフクラブヘッドを提供する。【解決手段】ヘッド４は、フェース部１０、ソール部１２及びホーゼル部１４を備えている。フェース部１０は、打撃面２０と、フェース裏面とを有している。打撃面２０に、複数のスコアラインｆ１が形成されている。フェース裏面に、１又は２以上のバック溝ｂ１が形成されている。フェースセンターを基準として、フェース部１０が、トウ上側領域、トウ下側領域、ヒール上側領域及びヒール下側領域の４つの領域に分割されるとき、４つの前記領域のうち少なくとも２つの領域間で、バック溝投影面積が相違している。４つの前記領域のうち少なくとも２つの領域間で、バック溝占有比率が相違していてもよい。【選択図】図３
2019080846.tif 000002
【特許請求の範囲】
【請求項１】
フェース部、ソール部及びホーゼル部を備えており、
前記フェース部が、打撃面と、フェース裏面とを有しており、
前記打撃面に、複数のスコアラインが形成されており、
前記フェース裏面に、１又は２以上のバック溝が形成されており、
フェースセンターを基準として、前記フェース部が、トウ上側領域、トウ下側領域、ヒール上側領域及びヒール下側領域の４つの領域に分割されるとき、
４つの前記領域のうち少なくとも２つの領域間で、バック溝投影面積が相違しているゴルフクラブヘッド。
【請求項２】
４つの前記領域のうち少なくとも２つの領域間で、バック溝占有比率が相違している請求項１に記載のゴルフクラブヘッド。
【請求項３】
前記フェースセンターよりも下側の領域における前記バック溝投影面積が、前記フェースセンターよりも上側の領域における前記バック溝投影面積よりも大きい請求項１又は２に記載のゴルフクラブヘッド。
【請求項４】
前記フェースセンターよりもトウ側の領域における前記バック溝投影面積が、前記フェースセンターよりもヒール側の領域における前記バック溝投影面積よりも大きい請求項１から３のいずれか１項に記載のゴルフクラブヘッド。
【請求項５】
前記バック溝が前記スコアラインに重ならないように配置されている請求項１から４のいずれか１項に記載のゴルフクラブヘッド。
【請求項６】
隣接する２つの前記スコアラインをそれぞれ上辺及び下辺とする四角形領域が複数存在し、
前記四角形領域のそれぞれにおいて、前記四角形領域の面積がＲａとされ、前記バック溝投影面積がＧａとされるとき、
少なくとも２つの前記四角形領域間で、Ｇａ／Ｒａが相違している請求項５に記載のゴルフクラブヘッド。
【請求項７】
フェースセンターよりも下側におけるＧａ／Ｒａの最小値が、フェースセンターよりも上側におけるＧａ／Ｒａの最大値よりも大きい請求項６に記載のゴルフクラブヘッド。
【請求項８】
前記四角形領域のうち前記フェースセンターよりもトウ側の部分がトウ部分領域とされ、前記四角形領域のうち前記フェースセンターよりもヒール側の部分がヒール部分領域とされ、
前記トウ部分領域の面積がＲｂとされ、前記トウ部分領域における前記バック溝投影面積がＧｂとされ、
前記ヒール部分領域の面積がＲｃとされ、前記ヒール部分領域における前記バック溝投影面積がＧｃとされるとき、
少なくとも１つの前記四角形領域Ｒにおいて、Ｇｂ／Ｒｂが、Ｇｃ／Ｒｃよりも大きい請求項６または７に記載のゴルフクラブヘッド。
【発明の詳細な説明】
【技術分野】
【０００１】
本開示は、ゴルフクラブヘッドに関する。
【背景技術】
【０００２】
打撃面と、その反対側の面であるフェース裏面とを有するヘッドが知られている。例えば、アイアン型ヘッド、中空ヘッド等は、打撃面とフェース裏面とを有している。特開２００２−３１５８５６号公報は、フェース裏面にハニカム構造が形成されたゴルフクラブヘッドを開示する。
【先行技術文献】
【特許文献】
【０００３】
【特許文献１】特開２００２−３１５８５６号公報
【発明の概要】
【発明が解決しようとする課題】
【０００４】
本発明者は、フェース裏面の新構造が、ヘッドの設計自由度を高めうることを見いだした。本開示は、設計自由度が高められたゴルフクラブヘッドを提供する。
【課題を解決するための手段】
【０００５】
ある態様では、ゴルフクラブヘッドは、フェース部、ソール部及びホーゼル部を備えている。前記フェース部は、打撃面と、フェース裏面とを有している。前記打撃面に、複数のスコアラインが形成されている。前記フェース裏面に、１又は２以上のバック溝が形成されている。フェースセンターを基準として、前記フェース部が、トウ上側領域、トウ下側領域、ヒール上側領域及びヒール下側領域の４つの領域に分割されるとき、４つの前記領域のうち少なくとも２つの領域間で、バック溝投影面積が相違している。
【発明の効果】
【０００６】
一つの側面として、フェース裏面の新構造により、ヘッドの設計自由度が高められうる。
【図面の簡単な説明】
【０００７】
【図１】図１は、第１実施形態に係るゴルフクラブである。
【図２】図２は、第１実施形態のゴルフクラブヘッドの正面図である。
【図３】図３は、図２と同じ正面図である。
【図４】図４は、図３のＦ４−Ｆ４線に沿った断面図である。
【図５】図５は、図２と同じ正面図である。図５では、４つの領域（トウ上側領域、トウ下側領域、ヒール上側領域及びヒール下側領域）が、異なるハッチングで示されている。
【図６】図６は、図２と同じ正面図である。図６では、トウ上側領域が更に分割された２つの領域と、トウ下側領域が更に分割された２つの領域とが示されている。
【図７】図７は、図２と同じ正面図である。図７では、四角形領域が示されている。
【図８】図８は、図２と同じ正面図である。図８では、バック溝が塗りつぶされた線で示されている。
【図９】図９は、第２実施形態のヘッドの正面図である。図９でも、バック溝が塗りつぶされた線で示されている。
【図１０】図１０は、第３実施形態のヘッドの正面図である。図１０でも、バック溝が塗りつぶされた線で示されている。
【図１１】図１１は、第４実施形態のヘッドの正面図である。図１１でも、バック溝が塗りつぶされた線で示されている。
【図１２】図１２は、第５実施形態のヘッドの正面図である。図１２でも、バック溝が塗りつぶされた線で示されている。
【図１３】図１３（ａ）は、第６実施形態に係るヘッドの正面図であり、図１３（ｂ）は、第６実施形態に係る他のヘッドの正面図である。図１３（ａ）及び図１３（ｂ）でも、バック溝が塗りつぶされた線で示されている。
【図１４】図１４（ａ）は、第７実施形態に係るヘッドの正面図であり、図１４（ｂ）は、第７実施形態に係る他のヘッドの正面図である。図１４（ａ）及び図１４（ｂ）でも、バック溝が塗りつぶされた線で示されている。
【図１５】図１５は、第８実施形態のヘッドの正面図である。図１５でも、バック溝が塗りつぶされた線で示されている。
【図１６】図１６は、フェース部の一例を示す拡大断面図である。
【図１７】図１７は、カバー部材を有する実施形態の断面図である。
【図１８】図１８は、基準状態について説明するための図である。
【発明を実施するための形態】
【０００８】
以下、適宜図面が参照されつつ、実施形態が詳細に説明される。
【０００９】
本開示において、以下の用語が定義される。
【００１０】
〔基準状態〕
基準状態とは、所定のライ角及びリアルロフト角でヘッドが水平面ＨＰ上に置かれた状態である。この基準状態では、ヘッドのホーゼル孔の中心軸線Ｚ（シャフト軸線Ｚ）が、垂直面ＶＰ内に配されている（図１８参照）。垂直面ＶＰは、水平面ＨＰに対して垂直な平面である。この基準状態では、フェース面（打撃面）が前記垂直面ＶＰに対してリアルロフト角で傾いている。所定のライ角及びリアルロフト角は、例えば、製品カタログ等に記載されている。基準状態のヘッドでは、スコアラインが水平面ＨＰに平行であってもよい。
【００１１】
〔トウ−ヒール方向〕
前記基準状態のヘッドにおいて、前記垂直面ＶＰと前記水平面ＨＰとの交線ＮＬの方向が、トウ−ヒール方向である（図１８参照）。本開示において、トウ側及びヒール側というときは、このトウ−ヒール方向が基準とされる。スコアラインｆ１がトウ−ヒール方向に平行であってもよい。
【００１２】
〔フェース−バック方向〕
前記トウ−ヒール方向に対して垂直であり且つ前記水平面ＨＰに平行な方向が、フェース−バック方向である（図１８参照）。本開示において、フェース側及びバック側というときは、このフェース−バック方向が基準とされる。
【００１３】
〔上下方向〕
前記トウ−ヒール方向に対して垂直であり且つ打撃面に平行な方向が、上下方向である。本開示において、上方及び下方というときは、この上下方向が基準とされる。
【００１４】
〔フェース垂直方向〕
打撃面（フェース面）に対して垂直な方向が、フェース垂直方向と定義される。換言すれば、打撃面の法線方向が、フェース垂直方向と定義される。
【００１５】
〔フェースセンター〕
最長スコアラインｆ１１のトウ−ヒール方向における中心位置が、スコアラインのトウ−ヒール方向中央位置Ｐｃである（図２参照）。この中央位置Ｐｃにおいて、フェース面の上下方向中心点が決定される。この上下方向中心点が、フェースセンターＦｃである（図２参照）。なお、トウ−ヒール方向中央位置Ｐｃは、最も下側に位置する最長スコアラインｆ１１に基づいて決定されうる。
【００１６】
〔投影面積〕
打撃面に平行な平面に投影された投影図における面積が、投影面積である。この投影図は平行投影図であり、投影の方向はフェース垂直方向である。後述される図２等の図面は、この投影図でもある。なお、スコアラインの投影面積は、スコアラインの開口面積に等しい。同様に、バック溝の投影面積は、バック溝の開口面積に等しい。後述される図８等が示すように、この投影図には、スコアラインｆ１及びバック溝ｂ１の両方が透視的に投影される。
【００１７】
〔バック溝投影面積〕
ある領域におけるバック溝投影面積とは、その領域に存在する１又は２以上の全てのバック溝の投影面積の合計を意味する。
【００１８】
〔バック溝占有比率〕
ある領域におけるバック溝占有比率とは、その領域の全体面積に対する、その領域におけるバック溝投影面積の比率を意味する。
【００１９】
図１は、第１実施形態に係るゴルフクラブ２を示す。クラブ２は、ヘッド４、シャフト６及びグリップ８を有する。ヘッド４は、シャフト６のチップ部に取り付けられている。グリップ８は、シャフト６のバット部に取り付けられている。
【００２０】
図２は、ヘッド４の正面図である。図２は、打撃面の正面から見た図である。図３も、図２と同じく、ヘッド４の正面図である。図３には、後述されるバック溝が破線で示されている。図４は、図２及び図３におけるＦ４−Ｆ４線に沿った断面図である。
【００２１】
ヘッド４は、アイアン型ヘッドである。ヘッド４は、フェース部１０、ソール部１２及びホーゼル部１４を有する。ホーゼル部１４は、ホーゼル孔１６を有する。このホーゼル孔１６に、シャフト６のチップ部が挿入され且つ固定される。
【００２２】
図４が示すように、フェース部１０は、打撃面２０と、フェース裏面２２とを有する。打撃面２０は、フェース部１０の前面である。打撃面２０は、ショットの際にボールと接触する面である。フェース裏面２２は、フェース部１０の後面である。フェース部１０において、フェース裏面２２は、打撃面２０とは反対側の面である。
【００２３】
ヘッド４は、キャビティバックアイアンヘッドである。フェース裏面２２は、ヘッド４のキャビティの底面を構成している。
【００２４】
打撃面２０は、平面である。打撃面２０は、曲面であってもよい。フェース裏面２２は、平面である。フェース裏面２２は、打撃面２０に平行である。フェース裏面２２は、曲面であってもよい。フェース裏面２２は、打撃面２０に平行でなくてもよい。
【００２５】
図２が示すように、打撃面２０には、複数のスコアラインｆ１が設けられている。スコアラインｆ１は、溝である。スコアラインｆ１は、バックスピンの増大に寄与する。スコアラインｆ１として、複数の最長スコアラインｆ１１と、複数の非最長スコアラインｆ１２とが設けられている。非最長スコアラインｆ１２は、最長スコアラインｆ１１よりも短い。全てのスコアラインｆ１は、直線に沿って延びている。全てのスコアラインｆ１は互いに平行である。全てのスコアラインｆ１において、トウ側の端のトウ−ヒール方向位置は同じである。
【００２６】
打撃面２０には、表面粗さを増大させる処理が施されている。この表面処理の典型例は、ブラスト処理である。ブラスト処理として、サンドブラスト及びショットブラストが例示される。図２には、ブラスト処理が施されている部分とブラスト処理が施されていない部分との境界線として、境界線Ｌｔと境界線Ｌｈとが示されている。境界線Ｌｔは、スコアラインｆ１よりもトウ側に設けられている。境界線Ｌｈは、スコアラインｆ１よりもヒール側に設けられている。境界線Ｌｔと境界線Ｌｈとの間に、ブラスト処理が施されている。境界線Ｌｔよりもトウ側には、ブラスト処理が施されていない。境界線Ｌｈよりもヒール側には、ブラスト処理が施されていない。境界線Ｌｔ及び境界線Ｌｈは、視認されうる。
【００２７】
図３及び図４が示すように、フェース裏面２２には、溝ｂ１が設けられている。本開示において、この溝ｂ１は、バック溝とも称される。
【００２８】
フェース裏面２２には、複数のバック溝ｂ１が設けられている。図３が示すように、バック溝ｂ１は、直線に沿って延びている。後述される他の実施形態で示されるように、バック溝ｂ１は、曲がっていてもよい。
【００２９】
図３が示すように、全てのバック溝ｂ１は、互いに平行である。バック溝ｂ１同士が互いに平行でなくてもよい。バック溝ｂ１同士が交差していてもよい。
【００３０】
バック溝ｂ１は、スコアラインｆ１に平行である。全てのバック溝ｂ１は、スコアラインｆ１に平行である。バック溝ｂ１は、スコアラインｆ１に平行でなくてもよい。
【００３１】
ヘッド４は、ヘッド本体ｈ１にフェース部材ｐ１を接合することによって形成されている。図４が示すように、フェース部材ｐ１は全体として板状である。ヘッド本体ｈ１は開口を有しており、この開口にフェース部材ｐ１がはめ込まれている。図２及び図３には、ヘッド本体ｈ１とフェース部材ｐ１との境界ｋ１が図示されている。通常、この境界ｋ１は、目立たない。境界ｋ１は、ほとんど視認できない場合がある。
【００３２】
ヘッド本体ｈ１の材質は、フェース部材ｐ１の材質とは相違する。ヘッド本体ｈ１及びフェース部材ｐ１のそれぞれに最適な材質が選択されうる。例えば、ヘッド本体ｈ１の比重がフェース部材ｐ１の比重より大きくてもよい。
【００３３】
打撃面２０は、フェース部材ｐ１の前面と、このフェース部材ｐ１の周囲に位置するヘッド本体ｈ１の前面とによって構成されている。フェース裏面２２は、フェース部材ｐ１の後面によって構成されている。
【００３４】
ヘッド４は、ヘッド本体ｈ１にフェース部材ｐ１が接合されたものに限定されない。フェース部材ｐ１が用いられていなくてもよい。フェース部１０がヘッド４の他の部分と一体成形されていてもよい。ヘッド４の全体が一体成形されていてもよい。
【００３５】
フェース部材ｐ１が用いられる場合、スコアラインｆ１及びバック溝ｂ１の加工が容易となりうる。例えば、ヘッド本体ｈ１に取り付けられる前に、フェース部材ｐ１単独の状態で、スコアラインｆ１及びバック溝ｂ１をフェース部材ｐ１に加工することができる。
【００３６】
本開示では、フェース部１０を区分する領域が定義される。
【００３７】
図５は、フェース部１０を区分する４つの領域Ｓｔ１、Ｓｔ２、Ｓｈ１及びＳｈ２を示す。各領域が、異なるハッチングで示されている。
【００３８】
〔トウ上側領域Ｓｔ１〕
領域Ｓｔ１は、フェースセンターＦｃよりも上側であって且つフェースセンターＦｃよりもトウ側の領域である。この領域Ｓｔ１は、トウ上側領域とも称される。図５において、トウ上側領域Ｓｔ１は実線ハッチングで示されている。
【００３９】
〔トウ下側領域Ｓｔ２〕
領域Ｓｔ２は、フェースセンターＦｃよりも下側であって且つフェースセンターＦｃよりもトウ側の領域である。この領域Ｓｔ２は、トウ下側領域とも称される。図５において、トウ下側領域Ｓｔ２は破線ハッチングで示されている。
【００４０】
〔ヒール上側領域Ｓｈ１〕
領域Ｓｈ１は、フェースセンターＦｃよりも上側であって且つフェースセンターＦｃよりもヒール側の領域である。この領域Ｓｈ１は、ヒール上側領域とも称される。図５において、ヒール上側領域Ｓｈ１は一点鎖線ハッチングで示されている。
【００４１】
〔ヒール下側領域Ｓｈ２〕
領域Ｓｈ２は、フェースセンターＦｃよりも下側であって且つフェースセンターＦｃよりもヒール側の領域である。この領域Ｓｈ２は、ヒール下側領域とも称される。図５において、ヒール下側領域Ｓｈ２は二点鎖線ハッチングで示されている。
【００４２】
フェースセンターＦｃよりも下側に位置する複数の（５本の）スコアラインｆ１は、ヒール下側領域Ｓｈ２からフェースライン中央位置Ｐｃを超えてトウ下側領域Ｓｔ２まで延びている。フェースセンターＦｃよりも上側に位置する複数の（５本の）スコアラインｆ１は、ヒール上側領域Ｓｈ１からフェースライン中央位置Ｐｃを超えてトウ上側領域Ｓｔ１まで延びている。少なくとも１本のスコアラインｆ１は、トウ上側領域Ｓｔ１のみに位置する。最も上側に位置するスコアラインｆ１（非最長スコアラインｆ１２）は、トウ上側領域Ｓｔ１のみに位置する。
【００４３】
〔フェース上側領域Ｓ１〕
フェースセンターＦｃよりも上側の領域が、フェース上側領域Ｓ１とも称される。フェース上側領域Ｓ１は、トウ上側領域Ｓｔ１とヒール上側領域Ｓｈ１とを合わせた領域である。
【００４４】
〔フェース下側領域Ｓ２〕
フェースセンターＦｃよりも下側の領域が、フェース下側領域Ｓ２とも称される。フェース下側領域Ｓ２は、トウ下側領域Ｓｔ２とヒール下側領域Ｓｈ２とを合わせた領域である。
【００４５】
〔フェーストウ側領域Ｓｔ〕
フェースセンターＦｃよりもトウ側の領域が、フェーストウ側領域Ｓｔとも称される。フェーストウ側領域Ｓｔは、トウ上側領域Ｓｔ１とトウ下側領域Ｓｔ２とを合わせた領域である。
【００４６】
〔フェースヒール側領域Ｓｈ〕
フェースセンターＦｃよりもヒール側の領域が、フェースヒール側領域Ｓｈとも称される。フェースヒール側領域Ｓｈは、ヒール上側領域Ｓｈ１とヒール下側領域Ｓｈ２とを合わせた領域である。
【００４７】
なお、図５には、境界線ｋ２が示されている。境界線ｋ２は、打撃面２０のヒール側の縁である。この境界線ｋ２よりもヒール側の部分は、平面ではなく、打撃面２０（平面部）から滑らかに連続する曲面である。この境界線ｋ２自体は、視認されない。この境界線ｋ２は、前述した境界線Ｌｈ（図２参照）よりもヒール側に位置する。
【００４８】
スコアラインｆ１のトウ側の端のトウ−ヒール方向位置が、トウ端位置Ｐｔと定義される（図６参照）。このトウ端位置Ｐｔを基準として、トウ上側領域Ｓｔ１は、更に２つの領域に分割されうる。
【００４９】
〔トウ上ライン領域Ｓｔ１０〕
トウ上側領域Ｓｔ１のうち、トウ端位置Ｐｔよりもヒール側の領域が、トウ上ライン領域Ｓｔ１０とも称される。図６において、トウ上ライン領域Ｓｔ１０は一点鎖線ハッチングで示されている。
【００５０】
〔トウ上ライン外領域Ｓｔ１２〕
トウ上側領域Ｓｔ１のうち、トウ端位置Ｐｔよりもトウ側の領域が、トウ上ライン外領域Ｓｔ１２とも称される。図６において、トウ上ライン外領域Ｓｔ１２は実線ハッチングで示されている。
【００５１】
同様に、トウ下側領域Ｓｔ２は、２つの領域に分割されうる。
【００５２】
〔トウ下ライン領域Ｓｔ２０〕
トウ下側領域Ｓｔ２のうち、トウ端位置Ｐｔよりもヒール側の領域が、トウ下ライン領域Ｓｔ２０とも称される。図６において、トウ下ライン領域Ｓｔ２０は二点鎖線ハッチングで示されている。
【００５３】
〔トウ下ライン外領域Ｓｔ２２〕
トウ下側領域Ｓｔ２のうち、トウ端位置Ｐｔよりもトウ側の領域が、トウ下ライン外領域Ｓｔ２２とも称される。図６において、トウ下ライン外領域Ｓｔ２２は破線ハッチングで示されている。
【００５４】
〔トウライン領域Ｓｔ３０〕
トウ上ライン領域Ｓｔ１０とトウ下ライン領域Ｓｔ２０とを合わせた領域が、トウライン領域Ｓｔ３０と定義される。
【００５５】
〔トウライン外領域Ｓｔ３２〕
トウ上ライン外領域Ｓｔ１２とトウ下ライン外領域Ｓｔ２２とを合わせた領域が、トウライン外領域Ｓｔ３２と定義される。
【００５６】
〔四角形領域Ｒ〕
本開示では、四角形領域Ｒが定義される。図７が示すように、四角形領域Ｒは、隣り合う２本のスコアラインｆ１を上辺及び下辺とする領域である。四角形領域Ｒは、隣り合う２本のスコアラインｆ１の間のそれぞれに存在する。図７の実施形態では、スコアラインｆ１が１２本であるから、１１個の四角形領域Ｒが存在する。
【００５７】
〔トウ部分領域Ｒｔ〕
四角形領域Ｒのうち、フェースセンターＦｃよりもトウ側に位置する領域が、トウ部分領域Ｒｔである（図７参照）。図７の実施形態では、１１個の四角形領域Ｒが存在するので、１１個のトウ部分領域Ｒｔが存在する。
【００５８】
〔ヒール部分領域Ｒｈ〕
四角形領域Ｒのうち、フェースセンターＦｃよりもヒール側に位置する領域が、ヒール部分領域Ｒｈである（図７参照）。図７の実施形態では、１１個の四角形領域Ｒのうち、１個の四角形領域Ｒは、ヒール部分領域Ｒｈを有さない。すなわち、最も上側のスコアラインｆ１と上から２番目のスコアラインｆ１との間に位置する四角形領域Ｒは、ヒール部分領域Ｒｈを有さない。他の１０個の四角形領域Ｒには、ヒール部分領域Ｒｈが存在する。通常、少なくとも１つの四角形領域Ｒは、ヒール部分領域Ｒｈを有さない。
【００５９】
図８は、図２等と同じ、第１実施形態のヘッド４の正面図（投影図）である。図２と異なり、図８では、バック溝ｂ１が塗りつぶされている。バック溝ｂ１の投影面積は、バック溝ｂ１の開口部の投影面積（開口面積）である。図８において黒く塗りつぶされた部分の面積が、バック溝ｂ１の投影面積である。
【００６０】
ヘッド４では、複数（５本）のバック溝ｂ１が設けられている。全てのバック溝ｂ１は、フェース下側領域Ｓ２に設けられている。フェース上側領域Ｓ１には、バック溝ｂ１が設けられていない。
【００６１】
全てのバック溝ｂ１が直線に沿って延びている。全てのバック溝ｂ１が、スコアラインｆ１に平行である。バック溝ｂ１のそれぞれが、四角形領域Ｒのそれぞれに配置されている。バック溝ｂ１は、四角形領域Ｒの上下方向幅の中心に位置している。
【００６２】
バック溝ｂ１は、ヒール下側領域Ｓｈ２から、トウ下ライン領域Ｓｔ２０を経て、トウ下ライン外領域Ｓｔ２２まで延びている。バック溝ｂ１は、トウ下ライン外領域Ｓｔ２２に位置する部分を有している。上側のバック溝ｂ１ほど、トウ下ライン外領域Ｓｔ２２における長さが大きい。
【００６３】
図９は、第２実施形態のヘッド２００の正面図（投影図）である。
【００６４】
ヘッド２００は、バック溝ｂ１を有している。このバック溝ｂ１は、直線部ｂ２１と、この直線部ｂ２１のトウ端から延びる曲線部ｂ２２とを有する。
【００６５】
直線部ｂ２１は、スコアラインｆ１に平行である。直線部ｂ２１は、最も下側のスコアラインｆ１よりも下に位置する。直線部ｂ２１は、ヒール下側領域Ｓｈ２からトウ下側領域Ｓｔ２まで延びている。
【００６６】
曲線部ｂ２２は、フェーストウ側領域Ｓｔに位置する。曲線部ｂ２２は、トウ下ライン外領域Ｓｔ２２からトウ上ライン外領域Ｓｔ１２を経てトウ上ライン領域Ｓｔ１０まで延びている。曲線部ｂ２２の端は、最も上側のスコアラインｆ１よりも上に位置する。曲線部ｂ２２は、打撃面２０の輪郭線に沿って延びている。曲線部ｂ２２は、ヘッド２００の外側に向かって凸となるように曲がっている。この曲線部ｂ２２は、フェース部のトウ側の剛性を効果的に低下させうる。
【００６７】
図１０は、第３実施形態のヘッド３００の正面図（投影図）である。
【００６８】
ヘッド３００は、バック溝ｂ１を有している。このバック溝ｂ１は、直線部ｂ３１と、この直線部ｂ３１のトウ端から延びる曲線部ｂ３２とを有する。
【００６９】
直線部ｂ３１は、スコアラインｆ１に平行である。直線部ｂ３１は、最も下側のスコアラインｆ１よりも上に位置する。直線部ｂ３１は、最も下側のスコアラインｆ１と、下から２番目のスコアラインｆ１との間に位置する。直線部ｂ３１は、ヒール下側領域Ｓｈ２からトウ下側領域Ｓｔ２まで延びている。
【００７０】
曲線部ｂ３２は、フェーストウ側領域Ｓｔに位置する。曲線部ｂ３２は、トウライン外領域Ｓｔ３２に位置する。曲線部ｂ３２は、トウ下ライン外領域Ｓｔ２２からトウ上ライン外領域Ｓｔ１２まで延びている。曲線部ｂ３２は、打撃面２０の輪郭線に沿って延びている。曲線部ｂ３２は、ヘッド３００の外側に向かって凸となるように曲がっている。この曲線部ｂ３２は、フェース部のトウ下側の剛性を効果的に低下させうる。
【００７１】
図１１は、第４実施形態のヘッド４００の正面図（投影図）である。
【００７２】
ヘッド４００は、第１のバック溝ｂ１と、第２のバック溝ｂ１とを有している。
【００７３】
第１のバック溝ｂ１は、直線に沿って延びている。第１のバック溝ｂ１は、スコアラインｆ１に平行である。第１のバック溝ｂ１は、隣り合うスコアラインｆ１の間に位置する。第１のバック溝ｂ１は、最も下側のスコアラインｆ１と、下から２番目のスコアラインｆ１との間に位置する。第１のバック溝ｂ１は、ヒール下側領域Ｓｈ２からトウ下側領域Ｓｔ２まで延びている。
【００７４】
第２のバック溝ｂ１は、直線部ｂ４１と、この直線部ｂ４１のトウ端から延びる曲線部ｂ４２とを有する。
【００７５】
直線部ｂ４１は、スコアラインｆ１に平行である。直線部ｂ４１は、最も下側のスコアラインｆ１よりも下に位置する。直線部ｂ４１は、ヒール下側領域Ｓｈ２からトウ下側領域Ｓｔ２まで延びている。
【００７６】
曲線部ｂ４２は、トウライン外領域Ｓｔ３２に位置する。曲線部ｂ４２は、トウ下ライン外領域Ｓｔ２２からトウ上ライン外領域Ｓｔ１２まで延びている。曲線部ｂ４２は、打撃面２０の輪郭線に沿って延びている。曲線部ｂ４２は、ヘッド４００の外側に向かって凸となるように曲がっている。
【００７７】
第１のバック溝ｂ１は、第２のバック溝ｂ１に交わっている。第１のバック溝ｂ１のトウ側の端ｅ１が第２のバック溝ｂ１（の曲線部ｂ４２）に交わっている。このように、バック溝ｂ１同士が交わっていてもよい。
【００７８】
図１２は、第５実施形態のヘッド５００の正面図（投影図）である。
【００７９】
ヘッド５００は、バック溝ｂ１として、フェースセンターＦｃよりもヒール側に位置するバック溝ｂ５１を有する。バック溝ｂ５１の全体が、フェースセンターＦｃよりもヒール側に位置する。バック溝ｂ５１は、ヒール下側領域Ｓｈ２からヒール上側領域Ｓｈ１まで延びている。バック溝ｂ５１は上下方向に沿って延びている。
【００８０】
バック溝ｂ５１は、複数のスコアラインｆ１と交わっている。なお、バック溝ｂ１とスコアラインｆ１との交わりとは、前記投影図における交わりを意味する。図１２が示すように、バック溝ｂ５１は、７本のスコアラインｆ１に交わっている。
【００８１】
ヘッド５００は、バック溝ｂ１として、フェースセンターＦｃよりもトウ側に位置するバック溝ｂ５２を有する。バック溝ｂ５２の全体が、フェースセンターＦｃよりもトウ側に位置する。バック溝ｂ５２の全体が、トウ端位置Ｐｔ（図６参照）よりもトウ側に位置する。バック溝ｂ５２は、トウ下ライン外領域Ｓｔ２２からトウ上ライン外領域Ｓｔ１２まで延びている。バック溝ｂ５２は、曲がっている。バック溝ｂ５２は、ヘッド５００の輪郭線に沿って曲がっている。バック溝ｂ５２は、ヘッド５００の外側に向かって凸となるように曲がっている。複数（２本）のバック溝ｂ５２が設けられている。
【００８２】
トウ上ライン領域Ｓｔ１０には、バック溝ｂ１が存在しない。トウ下ライン領域Ｓｔ２０には、バック溝ｂ１が存在しない。トウライン領域Ｓｔ３０には、バック溝ｂ１が存在しない。
【００８３】
図１３（ａ）は、第６実施形態に係るヘッド６０２の正面図（投影図）である。図１３（ｂ）は、第６実施形態に係るヘッド６０４の正面図（投影図）である。ヘッド６０２及びヘッド６０４は、ヘッドセット６００を構成する。ヘッド６０２とヘッド６０４とで、番手が相違する。ヘッド６０２とヘッド６０４とで、ロフト角（リアルロフト角）が相違する。ヘッド６０２のロフト角（ＬＡ）は、ヘッド６０４のロフト角（ＬＡ）よりも小さい。このヘッドセット６００は、ゴルフクラブセットに用いられる。
【００８４】
ヘッド６０２は、複数のバック溝ｂ１を有する。ヒール上側領域Ｓｈ１に、少なくとも１本のバック溝ｂ１が存在する。ヒール下側領域Ｓｈ２に、少なくとも１本のバック溝ｂ１が存在する。トウ上側領域Ｓｔ１に、少なくとも１本のバック溝ｂ１が存在する。トウ下側領域Ｓｔ２に、少なくとも１本のバック溝ｂ１が存在する。
【００８５】
フェースセンターＦｃを中心とする円形領域Ｃ１には、バック溝ｂ１が存在しない。この円形領域Ｃ１を設けることで、打撃頻度の高い領域における耐久性を向上させることができる。また、反発性能が高いフェースセンターＦｃ近傍の剛性を維持しつつ、その周辺の剛性を下げることで、高反発エリアが拡張されうる。円形領域Ｃ１の半径は、１０ｍｍとされうる。また、フェースセンターＦｃとスイートスポットＳＳとの間の距離が、円形領域Ｃ１の半径とされてもよい。スイートスポットＳＳとは、ヘッド重心を通り打撃面に対して垂直な直線と打撃面との交点である。
【００８６】
なお、他の実施形態（ヘッド２００、ヘッド３００、ヘッド４００、ヘッド５００及び後述のヘッド７０２，７０４）においても、前記円形領域Ｃ１にバック溝ｂ１が存在しない。
【００８７】
バック溝ｂ１は、円形領域Ｃ１よりもヒール側に位置するヒール部分溝ｂ６１と、円形領域Ｃ１よりもトウ側に位置し且つ前記ヒール部分溝ｂ６１の延長線上に位置するトウ部分溝ｂ６２とを有する。全てのバック溝ｂ１が、スコアラインｆ１に平行である。
【００８８】
図１３（ｂ）が示すように、ヘッド６０４では、ヘッド６０２に比べて、バック溝ｂ１が少ない。ヘッド６０４では、ヘッド６０２におけるバック溝ｂ１のうちの一部が、除去されている。
【００８９】
図１４（ａ）は、第７実施形態に係るヘッド７０２の正面図（投影図）である。図１４（ｂ）は、第７実施形態に係るヘッド７０４の正面図（投影図）である。ヘッド７０２及びヘッド７０４は、ヘッドセット７００を構成する。ヘッド７０２とヘッド７０４とで、番手が相違する。ヘッド７０２とヘッド７０４とで、ロフト角（リアルロフト角）が相違する。ヘッド７０２のロフト角（ＬＡ）は、ヘッド７０４のロフト角（ＬＡ）よりも小さい。このヘッドセット７００は、ゴルフクラブセットに用いられる。
【００９０】
ヘッド７０２は、複数のバック溝ｂ１を有する。ヒール上側領域Ｓｈ１に、少なくとも１本のバック溝ｂ１が存在する。ヒール下側領域Ｓｈ２に、少なくとも１本のバック溝ｂ１が存在する。トウ上側領域Ｓｔ１に、少なくとも１本のバック溝ｂ１が存在する。トウ下側領域Ｓｔ２に、少なくとも１本のバック溝ｂ１が存在する。トウ上ライン領域Ｓｔ１０に、少なくとも１本のバック溝ｂ１が存在する。トウ下ライン領域Ｓｔ２０に、少なくとも１本のバック溝ｂ１が存在する。トウ上ライン外領域Ｓｔ１２に、少なくとも１本のバック溝ｂ１が存在する。トウ下ライン外領域Ｓｔ２２に、少なくとも１本のバック溝ｂ１が存在する。トウライン領域Ｓｔ３０に、少なくとも１本のバック溝ｂ１が存在する。
【００９１】
ヘッド７０２は、フェースセンターＦｃよりもヒール側に位置するバック溝ｂ７１を有する。このバック溝ｂ７１は、複数（７本）のスコアラインｆ１と交わっている。複数（２本）のバック溝ｂ７１が設けられている。バック溝ｂ７１は直線に沿って延びている。バック溝ｂ７１は上下方向に延びている。
【００９２】
ヘッド７０２は、フェースセンターＦｃよりもトウ側に位置するバック溝ｂ７２を有する。バック溝ｂ７２は、フェーストウ側領域Ｓｔに位置する。バック溝ｂ７２は直線に沿って延びている。バック溝ｂ７２は上下方向に延びている。
【００９３】
バック溝ｂ７２は、トウ端位置Ｐｔよりもヒール側に位置するバック溝ｂ７３と、トウ端位置Ｐｔよりもトウ側に位置するバック溝ｂ７４とを含む。バック溝ｂ７３は、トウライン領域Ｓｔ３０に位置する。バック溝ｂ７４は、トウライン外領域Ｓｔ３２に位置する。
【００９４】
図１４（ｂ）が示すように、ヘッド７０４では、ヘッド７０２に比べて、バック溝ｂ１が少ない。ヘッド７０４では、ヘッド７０２におけるバック溝ｂ１のうちの一部が、除去されている。ヘッド７０４では、ヘッド７０２におけるバック溝ｂ７３が除去されている。ヘッド７０４では、ヘッド７０２に比べて、バック溝ｂ７４の数が減少している。ヘッド７０４では、トウライン領域Ｓｔ３０にバック溝ｂ１が存在しない。ヘッド７０４では、ヘッド７０２に比べて、トウライン領域Ｓｔ３０におけるバック溝投影面積が減少している。ヘッド７０４では、ヘッド７０２に比べて、トウライン外領域Ｓｔ３２におけるバック溝投影面積が減少している。
【００９５】
第１実施形態（図８）、第２実施形態（図９）、第３実施形態（図１０）、第４実施形態（図１１）、第５実施形態（図１２）、第６実施形態（図１３（ａ）、（ｂ））及び第７実施形態（図１３（ａ）、（ｂ））の全てにおいて、バック溝ｂ１は、４つの前記領域のうちの少なくとも２つに形成されている。４つの前記領域とは、ヒール上側領域Ｓｈ１、ヒール下側領域Ｓｈ２、トウ上側領域Ｓｔ１及びトウ下側領域Ｓｔ２である。
【００９６】
第１実施形態のヘッド４（図８）では、バック溝ｂ１は、ヒール下側領域Ｓｈ２及びトウ下側領域Ｓｔ２に設けられており、ヒール上側領域Ｓｈ１及びトウ上側領域Ｓｔ１には設けられていない。
【００９７】
第２実施形態のヘッド２００（図９）では、バック溝ｂ１は、ヒール下側領域Ｓｈ２、トウ下側領域Ｓｔ２及びトウ上側領域Ｓｔ１に設けられており、ヒール上側領域Ｓｈ１には設けられていない。この点は、第３実施形態のヘッド３００（図１０）及び第４実施形態のヘッド４００（図１１）も同じである。
【００９８】
第５実施形態（図１２）では、バック溝ｂ１は、４つの前記領域の全てに設けられている。すなわち、バック溝ｂ１は、トウ上側領域Ｓｔ１、トウ下側領域Ｓｔ２、ヒール上側領域Ｓｈ１及びヒール下側領域Ｓｈ２に設けられている。この点は、第６実施形態のヘッド６０２，６０４及び第７実施形態のヘッド７０２，７０４でも同じである。
【００９９】
バック溝ｂ１を設けることで、フェース部の剛性が低下し、反発性能が高まる。反発性能を高めたい部位にバック溝ｂ１を設けることで、その部位の反発性能を高めることができる。
【０１００】
いずれの実施形態でも、４つの領域Ｓｔ１、Ｓｔ２、Ｓｈ１及びＳｈ２のうち少なくとも２つの領域間で、バック溝投影面積が相違している。例えば、第１実施形態（図８）では、トウ上側領域Ｓｔ１とトウ下側領域Ｓｔ２との間で、バック溝投影面積が相違している。また、ヒール上側領域Ｓｈ１とヒール下側領域Ｓｈ２との間で、バック溝投影面積が相違している。また、トウ下側領域Ｓｔ２とヒール下側領域Ｓｈ２との間で、バック溝投影面積が相違している。上述の通り、ある領域におけるバック溝投影面積とは、当該領域に存在する全バック溝ｂ１の投影面積の合計を意味する。バック溝投影面積を増やすことで、当該領域における反発性能を高めることができる。
【０１０１】
いずれの実施形態でも、少なくとも１本のバック溝ｂ１が存在する２つの領域間で、バック溝投影面積が相違している。例えば、第１実施形態（図８）では、トウ下側領域Ｓｔ２とヒール下側領域Ｓｈ２との間で、バック溝投影面積が相違している。トウ下側領域Ｓｔ２のバック溝投影面積は、ヒール下側領域Ｓｈ２のバック溝投影面積よりも大きい。
【０１０２】
いずれの実施形態でも、４つの領域Ｓｔ１、Ｓｔ２、Ｓｈ１及びＳｈ２のうち少なくとも２つの領域間で、バック溝占有比率が相違している。例えば、第１実施形態（図８）では、トウ上側領域Ｓｔ１とトウ下側領域Ｓｔ２との間で、バック溝占有比率が相違している。また、ヒール上側領域Ｓｈ１とヒール下側領域Ｓｈ２との間で、バック溝占有比率が相違している。また、トウ下側領域Ｓｔ２とヒール下側領域Ｓｈ２との間で、バック溝占有比率が相違している。上述の通り、ある領域におけるバック溝占有比率とは、当該領域の全体面積に対する、当該領域のバック溝投影面積の比率を意味する。バック溝占有比率を増やすことで、当該領域における反発性能を高めることができる。
【０１０３】
いずれの実施形態でも、少なくとも１本のバック溝ｂ１が存在する２つの領域間で、バック溝投影面積が相違している。例えば、第１実施形態（図８）では、トウ下側領域Ｓｔ２とヒール下側領域Ｓｈ２との間で、バック溝投影面積が相違している。トウ下側領域Ｓｔ２のバック溝投影面積は、ヒール下側領域Ｓｈ２のバック溝投影面積よりも大きい。バック溝投影面積が大きい領域では、反発性能が向上しうる。
【０１０４】
フェースセンターＦｃよりも下側の領域におけるバック溝投影面積が、フェースセンターＦｃよりも上側の領域におけるバック溝投影面積よりも大きくされてもよい。換言すれば、フェース下側領域Ｓ２におけるバック溝投影面積が、フェース上側領域Ｓ１におけるバック溝投影面積よりも大きくされてもよい。この場合、フェースの下方における反発性能を向上させることができる。この構成は、地面に直接置かれたボール（ティーアップされていないボール）を打つクラブにおいて特に有効である。この構成は、アイアン型ヘッド、フェアウエイウッド型ヘッド及びハイブリッド型ヘッドにおいて好ましい。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１０５】
同様に、フェースセンターＦｃよりも下側の領域におけるバック溝占有比率が、フェースセンターよりも上側の領域におけるバック溝占有比率よりも大きくされてもよい。
【０１０６】
フェースセンターＦｃよりもトウ側の領域におけるバック溝投影面積が、フェースセンターＦｃよりもヒール側の領域におけるバック溝投影面積よりも大きくされてもよい。換言すれば、フェーストウ側領域Ｓｔにおけるバック溝投影面積が、フェースヒール側領域Ｓｈにおけるバック溝投影面積よりも大きくされてもよい。この場合、トウ側における反発性能を向上させることができる。アイアン型ヘッド等では、ネック部の重量が大きく、ヘッド重心がフェースセンターＦｃよりもヒール側に位置する傾向にある。このため、トウ部分の反発性能が低下しやすい。ヘッド重心がフェースセンターＦｃよりもヒール側に位置するヘッドにおいて、トウ領域の反発性能を高めることで、高反発エリアを効果的に拡大することができる。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１０７】
フェースセンターＦｃよりもトウ側の領域におけるバック溝占有比率が、フェースセンターＦｃよりもヒール側の領域におけるバック溝占有比率よりも大きくされてもよい。
【０１０８】
トウ端位置Ｐｔ（図６参照）よりもトウ側にバック溝ｂ１が設けられてもよい。換言すれば、トウライン外領域Ｓｔ３２にバック溝ｂ１が設けられてもよい。この構成により、トウ領域の反発性能が高まる。トウライン外領域Ｓｔ３２にはスコアラインｆ１が設けられていないので、バック溝ｂ１の設置による強度低下が緩和されうる。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））及びヘッド７０２（図１４（ａ））は、この構成を備えている。
【０１０９】
トウライン領域Ｓｔ３０にバック溝ｂ１が設けられてもよい。この構成により、トウ領域の反発性能が高まる。トウライン領域Ｓｔ３０にはスコアラインｆ１が存在する。スコアラインｆ１とバック溝ｂ１との相乗効果で、フェース部の剛性が効果的に低下し、反発性能が高まる。ヘッド４（図８）、ヘッド２００（図９）、ヘッド３００（図１０）、ヘッド４００（図１１）、ヘッド６０２（図１３（ａ））、ヘッド６０４（図１３（ｂ））、ヘッド７０２（図１４（ａ））及びヘッド７０４（図１４（ｂ））は、この構成を備えている。
【０１１０】
トウ下ライン領域Ｓｔ２０（図６参照）にバック溝ｂ１が設けられてもよい。この構成により、トウ下側領域の反発性能が高まる。トウ下ライン領域Ｓｔ２０に位置するバック溝ｂ１は、同領域Ｓｔ２０に位置するスコアラインｆ１との相乗効果で、トウ下側領域の反発性能を高める。ヘッド４（図８）、ヘッド２００（図９）、ヘッド３００（図１０）、ヘッド４００（図１１）、ヘッド６０２（図１３（ａ））、ヘッド６０４（図１３（ｂ））及びヘッド７０２（図１４（ａ））は、この構成を備えている。
【０１１１】
トウ下ライン外領域Ｓｔ２２（図６参照）にバック溝ｂ１が設けられてもよい。この構成により、トウ下側領域の反発性能がより一層高まる。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１１２】
トウ下ライン領域Ｓｔ２０におけるバック溝投影面積が、トウ上ライン領域Ｓｔ１０におけるバック溝投影面積よりも大きくされてもよい。この場合、トウ下側における反発性能を向上させることができる。ヘッド４（図８）、ヘッド２００（図９）、ヘッド３００（図１０）、ヘッド４００（図１１）、ヘッド６０２（図１３（ａ））、ヘッド６０４（図１３（ｂ））及びヘッド７０２（図１４（ａ））は、この構成を備えている。
【０１１３】
トウ下ライン領域Ｓｔ２０におけるバック溝占有比率が、トウ上ライン領域Ｓｔ１０におけるバック溝占有比率よりも大きくされてもよい。
【０１１４】
トウ下ライン外領域Ｓｔ２２におけるバック溝投影面積が、トウ上ライン外領域Ｓｔ１２におけるバック溝投影面積よりも大きくされてもよい。この場合、トウ下側における反発性能を向上させることができる。ヘッド４（図８）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１１５】
トウ下ライン外領域Ｓｔ２２におけるバック溝占有比率が、トウ上ライン外領域Ｓｔ１２におけるバック溝占有比率よりも大きくされてもよい。
【０１１６】
ヒール下側領域Ｓｈ２におけるバック溝投影面積が、ヒール上側領域Ｓｈ１におけるバック溝投影面積よりも大きくされてもよい。この場合、ヒール下側における反発性能を向上させることができる。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１１７】
ヒール下側領域Ｓｈ２におけるバック溝占有比率が、ヒール上側領域Ｓｈ１におけるバック溝占有比率よりも大きくされてもよい。
【０１１８】
フェースセンターＦｃよりも下側の領域におけるバック溝合計長さは、フェースセンターＦｃよりも上側の領域におけるバック溝合計長さよりも大きくされてもよい。換言すれば、フェース下側領域Ｓ２におけるバック溝合計長さは、フェース上側領域Ｓ１におけるバック溝合計長さよりも大きくされてもよい。この場合、フェースの下方における反発性能を向上させることができる。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１１９】
なお、ある領域におけるバック溝合計長さとは、その領域に存在する全てのバック溝の長さの合計を意味する。
【０１２０】
フェースセンターＦｃよりもトウ側の領域におけるバック溝合計長さは、フェースセンターＦｃよりもヒール側の領域におけるバック溝合計長さよりも大きくされてもよい。換言すれば、フェーストウ側領域Ｓｔにおけるバック溝合計長さは、フェースヒール側領域Ｓｈにおけるバック溝合計長さよりも大きくされてもよい。この場合、フェースのトウ側における反発性能を向上させることができる。ヘッド４（図８）、ヘッド２００（図９）、ヘッド３００（図１０）、ヘッド４００（図１１）、ヘッド５００（図１２）、ヘッド６０２（図１３（ａ））、ヘッド６０４（図１３（ｂ））、ヘッド７０２（図１４（ａ））及びヘッド７０４（図１４（ｂ））は、この構成を備えている。
【０１２１】
バック溝ｂ１は、スコアラインｆ１に重ならないように配置されていてもよい。ヘッド４（図８）において、バック溝ｂ１のそれぞれは、隣り合うスコアラインｆ１の間に位置しており、スコアラインｆ１に重なっていない。この重なりとは、前述した投影図におけるバック溝ｂ１とスコアラインｆ１との重なりを意味する。この重なりは、前述したバック溝ｂ１とスコアラインｆ１との交わりを含む概念である。スコアラインｆ１とバック溝ｂ１とが重なった部分では、フェース部が薄くなり、強度が低下しうる。重なりを回避することで、強度低下が抑制され、耐久性が向上する。よって、剛性を低下させつつ、耐久性を向上させることができる。
【０１２２】
バック溝ｂ１は、スコアラインｆ１に重なっていてもよい。スコアラインｆ１とバック溝ｂ１とが重なった部分では、強度が低下しうるものの、フェースの剛性が小さくされうる。この剛性の低下は、反発性能に寄与しうる。ヘッド５００（図１２）、ヘッド７０２（図１４（ａ））及びヘッド７０４（図１４（ｂ））では、バック溝ｂ１がスコアラインｆ１に重なっている。
【０１２３】
前述した通り、ヘッド４には、四角形領域Ｒが複数存在する（図７参照）。ヘッド４には、１２本のスコアラインｆ１が設けられており、１１個の四角形領域Ｒが存在する。この点は、他の全ての実施形態も同じである。
【０１２４】
説明を容易とするため、１１個の四角形領域Ｒが、上から順にＲ１、Ｒ２、Ｒ３、Ｒ４、Ｒ５、Ｒ６、Ｒ７、Ｒ８、Ｒ９、Ｒ１０及びＲ１１とされる（図７参照）。これら１１個の四角形領域Ｒのうち、四角形領域Ｒ１は、ヒール部分領域Ｒｈを有さない。四角形領域Ｒ２〜１１は、ヒール部分領域Ｒｈ及びトウ部分領域Ｒｔを有する。
【０１２５】
四角形領域Ｒのそれぞれにおいて、四角形領域Ｒの面積がＲａとされ、バック溝投影面積がＧａとされる。一つの四角形領域Ｒに２本以上のバック溝ｂ１が存在する場合、面積Ｇａは、それらのバック溝ｂ１の投影面積の合計である。
【０１２６】
図８が示すように、ヘッド４では、５本のバック溝ｂ１が設けられている。これらバック溝ｂ１のそれぞれは、各四角形領域Ｒに１本ずつ設けられている。バック溝ｂ１は、四角形領域Ｒ７、四角形領域Ｒ８、四角形領域Ｒ９、四角形領域Ｒ１０及び四角形領域Ｒ１１のぞれそれに１本ずつ設けられている。四角形領域Ｒ７〜四角形領域Ｒ１１では、面積Ｒａは同一であり、面積Ｇａも同一である。したがって、四角形領域Ｒ７〜四角形領域Ｒ１１では、Ｇａ／Ｒａは同一である。四角形領域Ｒ１〜Ｒ６では、面積Ｇａがゼロであり、Ｇａ／Ｒａもゼロである。
【０１２７】
このヘッド４では、少なくとも２つの前記四角形領域間で、Ｇａ／Ｒａが相違している。例えば四角形領域Ｒ６ではＧａ／Ｒａがゼロであるのに対して、四角形領域Ｒ１１ではＧａ／Ｒａがゼロより大きい。Ｇａ／Ｒａが大きい四角形領域Ｒでは、反発性能が高まる。
【０１２８】
ヘッド４では、フェースセンターＦｃよりも上側の四角形領域Ｒは、四角形領域Ｒ１、Ｒ２、Ｒ３、Ｒ４、Ｒ５及びＲ６である。ヘッド４では、フェースセンターＦｃよりも下側の四角形領域Ｒは、四角形領域Ｒ８、Ｒ９、Ｒ１０及びＲ１１である。なお、四角形領域Ｒ７は、フェースセンターＦｃを含んでいる。この四角形領域Ｒ７は、フェースセンターＦｃよりも上側の四角形領域Ｒに含まれず、且つ、フェースセンターＦｃよりも下側の四角形領域Ｒにも含まれない。
【０１２９】
ヘッド４では、フェースセンターＦｃよりも下側におけるＧａ／Ｒａの最小値が、フェースセンターＦｃよりも上側におけるＧａ／Ｒａの最大値よりも大きい。この構成は、フェースの下方における反発性能を高めうる。
【０１３０】
ヘッド４においては、フェースセンターＦｃよりも下側に４個の四角形領域Ｒがあるので、Ｇａ／Ｒａも４個存在する。これらの４個のＧａ／Ｒａのうちの最小値が、フェースセンターＦｃよりも下側におけるＧａ／Ｒａの最小値である。ヘッド４では、これら４個のＧａ／Ｒａは全て同じ値（Ｖ１とする）であるから、この最小値もＶ１である。
【０１３１】
ヘッド４では、フェースセンターＦｃよりも上側に６個の四角形領域Ｒがあるので、Ｇａ／Ｒａも６個存在する。これらの６個のＧａ／Ｒａのうちの最大値が、フェースセンターＦｃよりも上側におけるＧａ／Ｒａの最大値である。ヘッド４では、これら６個のＧａ／Ｒａは全てゼロであるから、この最大値もゼロである。
【０１３２】
それぞれの四角形領域Ｒにおいて、トウ部分領域Ｒｔの面積がＲｂとされ、このトウ部分領域Ｒｔにおけるバック溝投影面積がＧｂとされる。それぞれの四角形領域Ｒにおいて、ヒール部分領域Ｒｈの面積がＲｃとされ、このヒール部分領域Ｒｈにおけるバック溝投影面積がＧｃとされる。
【０１３３】
ヘッド４では、いずれの四角形領域Ｒでも、Ｇｂ／ＲｂとＧｃ／Ｒｃとが同じである。四角形領域Ｒ１〜Ｒ６では、Ｇｂ／Ｒｂがゼロであり、Ｇｃ／Ｒｃもゼロである。四角形領域Ｒ７からＲ１１では、Ｇｂ／Ｒｂ及びＧｃ／Ｒｃは、前述したＶ１に等しい。
【０１３４】
図１５は、第８実施形態のヘッド８００の正面図（投影図）である。このヘッド８００では、フェースセンターＦｃよりも上側に位置する少なくとも１つの四角形領域Ｒにバック溝ｂ１が設けられている。ヘッド８００では、フェースセンターＦｃよりも下側に位置する少なくとも１つの四角形領域Ｒにバック溝ｂ１が設けられている。
【０１３５】
ヘッド８００は、バック溝ｂ１として、太バック溝ｂ１００と、細バック溝ｂ２００とを有する。太バック溝ｂ１００は、細バック溝ｂ２００よりも太い。
【０１３６】
細バック溝ｂ２００は、フェースセンターＦｃよりも上側の四角形領域Ｒ６に設けられている。また、細バック溝ｂ２００は、フェースセンターＦｃよりも下側の四角形領域Ｒ９に設けられている。四角形領域Ｒ９には、２本の細バック溝ｂ２００が設けられている。太バック溝ｂ１００は、フェースセンターＦｃよりも下側の四角形領域Ｒ８、Ｒ１０及びＲ１１に設けられている。面積Ｇａがゼロである場合を除くと、四角形領域Ｒ６のＧａ／Ｒａは最小である。
【０１３７】
ヘッド８００では、フェースセンターＦｃよりも下側におけるＧａ／Ｒａの最小値は、四角形領域Ｒ９のＧａ／Ｒａである。ヘッド８００では、フェースセンターＦｃよりも上側におけるＧａ／Ｒａの最大値は、四角形領域Ｒ６のＧａ／Ｒａである。このヘッド８００でも、フェースセンターＦｃよりも下側におけるＧａ／Ｒａの最小値が、フェースセンターＦｃよりも上側におけるＧａ／Ｒａの最大値よりも大きい。この構成は、フェースの下方における反発性能を高めうる。
【０１３８】
ヘッド８００では、バック溝ｂ１を有する２つの四角形領域Ｒ間で、Ｇａ／Ｒａが相違している。例えば、四角形領域Ｒ６と、四角形領域Ｒ１１とで、Ｇａ／Ｒａが相違している。この相違は、バック溝ｂ１の太さに起因している。このＧａ／Ｒａの相違は、四角形領域Ｒ単位で、反発性能の差異を創出する。Ｇａ／Ｒａが小さい四角形領域Ｒ６はフェースセンターＦｃよりも上側に位置しており、Ｇａ／Ｒａが大きい四角形領域Ｒ１１はフェースセンターＦｃよりも下側に位置している。この構成は、フェースの下方における反発性能の向上に寄与しうる。この構成は、地面に直接置かれたボール（ティーアップされていないボール）を打つクラブにおいて特に有効である。この構成は、アイアン型ヘッド、フェアウエイウッド型ヘッド及びハイブリッド型ヘッドにおいて好ましい。
【０１３９】
四角形領域Ｒ７では、Ｇｂ／ＲｂがＧｃ／Ｒｃと相違している。この相違は、バック溝ｂ１の長さに起因している。四角形領域Ｒ７のバック溝ｂ１は、ヒール部分領域Ｒｈの途中で終端している。Ｇｂ／Ｒｂは、Ｇｃ／Ｒｃよりも大きい。この点は、四角形領域Ｒ８でも同じである。Ｇｂ／ＲｂがＧｃ／Ｒｃよりも大きくされることで、フェースのトウ側における反発性能が向上しうる。アイアン型ヘッド等では、ネック部の重量が大きく、ヘッド重心がフェースセンターＦｃよりもヒール側に位置する傾向にある。このため、トウ部分の反発性能が低下しやすい。ヘッド重心がフェースセンターＦｃよりもヒール側に位置するヘッドにおいて、トウ領域の反発性能を高めることで、高反発エリアを効果的に拡大することができる。
【０１４０】
ヘッド８００では、Ｇｂ／ＲｂがＧｃ／Ｒｃよりも大きい四角形領域Ｒは、四角形領域Ｒ７、Ｒ８及びＲ１０である。Ｇｂ／ＲｂとＧｃ／Ｒｃとが等しい四角形領域Ｒは、四角形領域Ｒ２、Ｒ３、Ｒ４、Ｒ５、Ｒ６及びＲ９である。Ｇｂ／ＲｂがＧｃ／Ｒｃよりも小さい四角形領域Ｒは、存在しない。
【０１４１】
四角形領域Ｒ１０でも、Ｇｂ／ＲｂがＧｃ／Ｒｃよりも大きい。この四角形領域Ｒ１０では、トウ部分領域Ｒｔにおけるバック溝ｂ１が連続的であるのに対して、ヒール部分領域Ｒｈにおけるバック溝ｂ１が断続的である。この結果、Ｇｂ／ＲｂがＧｃ／Ｒｃよりも大きい。
【０１４２】
このように、トウ領域の反発性能を高める観点からは、少なくとも１つの前記四角形領域Ｒにおいて、Ｇｂ／ＲｂがＧｃ／Ｒｃよりも大きくされてもよい。
【０１４３】
Ｇｂ／ＲｂがＧｃ／Ｒｃよりも大きい四角形領域Ｒ７、Ｒ８、Ｒ１０は、フェースセンターＦｃよりも下側に位置する。この構成は、フェースのトウ下側における反発性能の向上に寄与する。
【０１４４】
フェースセンターＦｃよりも下方の全ての四角形領域ＲにおけるＧａ／Ｒａの平均値Ａ２が、フェースセンターＦｃよりも上方の全ての四角形領域ＲにおけるＧａ／Ｒａの平均値Ａ１よりも大きくされてもよい。この構成は、フェースの下方における反発性能の向上に寄与しうる。例えば、図１５の実施形態では、フェースセンターＦｃよりも下方の四角形領域Ｒは、四角形領域Ｒ８、Ｒ９、Ｒ１０及びＲ１１である。よって、上記平均値Ａ２は、これら４つの領域のＧａ／Ｒａの平均値である。図１５の実施形態では、フェースセンターＦｃよりも上方の四角形領域Ｒは、四角形領域Ｒ１、Ｒ２、Ｒ３、Ｒ４、Ｒ５及びＲ６である。よって、上記平均値Ａ１は、これら６つの領域のＧａ／Ｒａの平均値である。
【０１４５】
全てのトウ部分領域ＲｔにおけるＧｂ／Ｒｂの平均値Ｔ１が、全てのヒール部分領域ＲｈにおけるＧｃ／Ｒｃの平均値Ｈ１よりも大きくされてもよい。この構成は、フェースのトウ側における反発性能の向上に寄与しうる。例えば、図１５の実施形態では、全ての四角形領域Ｒがトウ部分領域Ｒｔを有しており、１１個のトウ部分領域Ｒｔが存在する。よって、上記平均値Ｔ１は、１１個のＧｂ／Ｒｂの平均値である。図１５の実施形態では、四角形領域Ｒ２〜１１がヒール部分領域Ｒｈを有しており、１０個のヒール部分領域Ｒｈが存在する。よって、上記平均値Ｈ１は、１０個のＧｃ／Ｒｃの平均値である。
【０１４６】
一つの四角形領域Ｒに複数のバック溝ｂ１が設けられてもよい。図１５の実施形態において、四角形領域Ｒ１０のヒール部分領域Ｒｈではバック溝ｂ１が断続的とされている。この結果、四角形領域Ｒ１０には複数（５つの）のバック溝ｂ１が設けられている。また、四角形領域Ｒ９には、上下に並列する２本のバック溝ｂ１が設けられている。この結果、四角形領域Ｒ９に複数の（２つの）バック溝ｂ１が設けられている。一つの四角形領域Ｒに複数のバック溝ｂ１を設けることで、フェース変形時の応力集中が緩和されうる。
【０１４７】
図１６は、フェース部の一例を示す拡大断面図である。
【０１４８】
図１６において両矢印Ｗｆで示されるのは、スコアラインｆ１の幅（ｍｍ）である。幅Ｗｆは、開口幅である。幅Ｗｆは、上下方向に沿って測定される。なお、幅Ｗｆの測定には、Ｒ＆Ａのゴルフ規則が定める３０度測定法が適用されうる。
【０１４９】
図１６において両矢印Ｄｆで示されるのは、スコアラインｆ１の深さ（ｍｍ）である。深さＤｆは、打撃面に垂直な方向（フェース垂直方向）に沿って測定される。
【０１５０】
図１６において両矢印Ｗｂで示されるのは、バック溝ｂ１の幅（ｍｍ）である。幅Ｗｂは、開口幅である。幅Ｗｂは、上下方向に沿って測定される。なお、幅Ｗｂの測定には、Ｒ＆Ａのゴルフ規則が定める３０度測定法が流用されうる。
【０１５１】
図１６において両矢印Ｄｂで示されるのは、バック溝ｂ１の深さ（ｍｍ）である。深さＤｂは、打撃面に垂直な方向（フェース垂直方向）に沿って測定される。
【０１５２】
図１６において両矢印ＴＦで示されるのは、フェース厚（ｍｍ）である。フェース厚ＴＦは、打撃面に垂直な方向（フェース垂直方向）に沿って測定される。
【０１５３】
バック溝ｂ１の幅Ｗｂは、スコアラインｆ１の幅Ｗｆの３倍未満であるのが好ましい。この場合、バック溝ｂ１とスコアラインｆ１の重なりが防止されうる。
【０１５４】
フェース部の耐久性の観点から、バック溝ｂ１の深さＤｂは、フェース厚ＴＦの半分以下であるのが好ましい。
【０１５５】
少なくとも１つの四角形領域Ｒにおいて、その四角形領域Ｒの両側に位置するスコアラインｆ１の深さＤｆの平均値がＤｆ１とされ、その四角形領域Ｒに配置されたバック溝ｂ１の深さＤｂの平均値がＤｂ１とされる。なお、その四角形領域Ｒにバック溝ｂ１が１本である場合、平均値Ｄｂ１は、そのバック溝ｂ１の深さＤｂである。この場合、Ｄｆ１とＤｂ１との合計が、その四角形領域Ｒにおけるフェース厚ＴＦよりも小さいのが好ましい。すなわち、少なくとも１つの四角形領域Ｒにおいて、（Ｄｆ１＋Ｄｂ１）＜ＴＦであるのが好ましい。より好ましくは、バック溝ｂ１を有する全ての四角形領域Ｒにおいて、（Ｄｆ１＋Ｄｂ１）＜ＴＦであるのが好ましい。この構成は、フェース部の耐久性に寄与しうる。
【０１５６】
バック溝ｂ１の深さＤｂが、スコアラインｆ１の深さＤｆよりも大きくされてもよい。この構成は、反発性能の向上に効果的である。
【０１５７】
バック溝ｂ１に起因する効果を高める観点から、フェース厚ＴＦは、５ｍｍ以下が好ましく、４ｍｍ以下がより好ましく、３．５ｍｍ以下が更に好ましい。フェース部の強度の観点から、フェース厚ＴＦは、１．５ｍｍ以上が好ましく、１．８ｍｍ以上がより好ましく、２ｍｍ以上が更に好ましい。
【０１５８】
反発性能の観点から、バック溝ｂ１の深さＤｂは、０．４ｍｍ以上が好ましく、０．８ｍｍ以上がより好ましく、１．２ｍｍ以上が更に好ましい。フェース部の強度の観点から、深さＤｂは、２．４ｍｍ以下が好ましく、２．２ｍｍ以下がより好ましく、２．０ｍｍ以下が更に好ましい。
【０１５９】
フェース裏面に、少なくとも１つのバック溝ｂ１を覆うカバー部材が設けられてもよい。図１７は、カバー部材の一例を示す断面図である。カバー部材３０は、複数のバック溝ｂ１の全てを覆っている。カバー部材３０として、一般にバッチと称されるものが用いられうる。カバー部材３０の材質として、樹脂及び金属が例示される。カバー部材３０は、例えば両面テープ又は接着剤で、フェース裏面２２に貼り付けられる。このカバー部材は、美感性の向上に寄与する。
【０１６０】
ヘッドのロフト角は、限定されない。上述の通り、本開示の構成は、反発性能の向上に役立つ。反発性能の向上が特に有効なのは、ロフト角が小さいクラブである。この観点から、ロフト角（リアルロフト角）は、３５度以下であるのが好ましい。なお、ロフト角は、通常、７度以上である。
【０１６１】
ヘッドの種類は、限定されない。ヘッドの種類として、アイアン型、ウッド型及びハイブリッド型が例示される。
【０１６２】
前述の通り、図１３（ａ）及び図１３（ｂ）は、ゴルフクラブセットに用いられるヘッドセット６００を示す。図１４（ａ）及び図１４（ｂ）は、ゴルフクラブセットに用いられるヘッドセット７００を示す。
【０１６３】
ヘッドセットは、ロフト角が異なる２以上のヘッドを含む。このヘッドセットは、アイアン型ゴルフクラブセットに用いられる。このクラブセットのクラブ本数（ヘッドセットのヘッド数）は、２以上、更には３以上、更には４以上とすることができる。このクラブセットのクラブ本数（ヘッドセットのヘッド数）は、１０以下、更には９以下、更には８以下とすることができる。好ましくは、このクラブセットでは、ロフト角が大きいほどクラブ長が短い。
【０１６４】
ヘッドセット６００及びヘッドセット７００は、次の関係（ａ）を満たしている。
（ａ）ロフト角が小さいほど、フェース部全体におけるバック溝投影面積が大きい。
【０１６５】
この関係（ａ）を満たすセットでは、低番手のクラブほど飛距離を向上させることができる。すなわち、飛距離が求められるクラブで、飛距離を向上させることができる。
【０１６６】
ヘッドセット６００及びヘッドセット７００は、次の関係（ｂ）を満たしている。
（ｂ）ロフト角が小さいほど、フェース部全体におけるバック溝占有比率が大きい。
【０１６７】
この関係（ｂ）を満たすセットでは、低番手のクラブほど飛距離を向上させることができる。すなわち、飛距離が求められるクラブで、飛距離を向上させることができる。
【０１６８】
ヘッドセット６００及びヘッドセット７００は、次の関係（ｃ）を満たしている。
（ｃ）ロフト角が小さいほど、全ての四角形領域ＲにおけるＧａ／Ｒａの平均値が大きい。
【０１６９】
ヘッド６０２，６０４，７０２及び７０４は、いずれも、１１の四角形領域Ｒを有する。よって、全ての四角形領域ＲにおけるＧａ／Ｒａの平均値は、１１のＧａ／Ｒａの平均値である。
【０１７０】
この関係（ｃ）を満たすセットでは、低番手のクラブほど飛距離を向上させることができる。すなわち、飛距離が求められるクラブで、飛距離を向上させることができる。
【０１７１】
上述した実施形態に関して、以下の付記を開示する。
〔付記１〕
フェース部、ソール部及びホーゼル部を備えており、
前記フェース部が、打撃面と、フェース裏面とを有しており、
前記打撃面に、複数のスコアラインが形成されており、
前記フェース裏面に、１又は２以上のバック溝が形成されており、
フェースセンターを基準として、前記フェース部が、トウ上側領域、トウ下側領域、ヒール上側領域及びヒール下側領域の４つの領域に分割されるとき、
４つの前記領域のうち少なくとも２つの領域間で、バック溝投影面積が相違しているゴルフクラブヘッド。
〔付記２〕
４つの前記領域のうち少なくとも２つの領域間で、バック溝占有比率が相違している付記１に記載のゴルフクラブヘッド。
〔付記３〕
前記フェースセンターよりも下側の領域における前記バック溝投影面積が、前記フェースセンターよりも上側の領域における前記バック溝投影面積よりも大きい付記１又は２に記載のゴルフクラブヘッド。
〔付記４〕
前記フェースセンターよりもトウ側の領域における前記バック溝投影面積が、前記フェースセンターよりもヒール側の領域における前記バック溝投影面積よりも大きい付記１から３のいずれか１項に記載のゴルフクラブヘッド。
〔付記５〕
前記バック溝が前記スコアラインに重ならないように配置されている付記１から４のいずれか１項に記載のゴルフクラブヘッド。
〔付記６〕
隣接する２つの前記スコアラインをそれぞれ上辺及び下辺とする四角形領域が複数存在し、
前記四角形領域のそれぞれにおいて、前記四角形領域の面積がＲａとされ、前記バック溝投影面積がＧａとされるとき、
少なくとも２つの前記四角形領域間で、Ｇａ／Ｒａが相違している付記５に記載のゴルフクラブヘッド。
〔付記７〕
フェースセンターよりも下側におけるＧａ／Ｒａの最小値が、フェースセンターよりも上側におけるＧａ／Ｒａの最大値よりも大きい付記６に記載のゴルフクラブヘッド。
〔付記８〕
前記四角形領域のうち前記フェースセンターよりもトウ側の部分がトウ部分領域とされ、前記四角形領域のうち前記フェースセンターよりもヒール側の部分がヒール部分領域とされ、
前記トウ部分領域の面積がＲｂとされ、前記トウ部分領域における前記バック溝投影面積がＧｂとされ、
前記ヒール部分領域の面積がＲｃとされ、前記ヒール部分領域における前記バック溝投影面積がＧｃとされるとき、
少なくとも１つの前記四角形領域Ｒにおいて、Ｇｂ／ＲｂがＧｃ／Ｒｃよりも大きい付記６または７に記載のゴルフクラブヘッド。
【符号の説明】
【０１７２】
２・・・ゴルフクラブ
４・・・ヘッド
６・・・シャフト
８・・・グリップ
１０・・・フェース部
１２・・・ソール部
１４・・・ホーゼル部
Ｆｃ・・・フェースセンター
ｆ１・・・スコアライン
ｂ１・・・バック溝
ｈ１・・・ヘッド本体
ｐ１・・・フェース部材
Ｓｔ１・・・トウ上側領域
Ｓｔ２・・・トウ下側領域
Ｓｈ１・・・ヒール上側領域
Ｓｈ２・・・ヒール下側領域
【図１】
2019080846.tif 000003
【図２】
2019080846.tif 000004
【図３】
2019080846.tif 000005
【図４】
2019080846.tif 000006
【図５】
2019080846.tif 000007
【図６】
2019080846.tif 000008
【図７】
2019080846.tif 000009
【図８】
2019080846.tif 000010
【図９】
2019080846.tif 000011
【図１０】
2019080846.tif 000012
【図１１】
2019080846.tif 000013
【図１２】
2019080846.tif 000014
【図１３】
2019080846.tif 000015
【図１４】
2019080846.tif 000016
【図１５】
2019080846.tif 000017
【図１６】
2019080846.tif 000018
【図１７】
2019080846.tif 000019
【図１８】
2019080846.tif 000020